(57)【要約】椅子（１）、ベッド、長椅子または他の同様な型の構造物は、電気的機能または機構を備え、機能または機構に電力を供給するために、構造物が通常的に曝される状態から電力を生成するエネルギー変換器（２１、９、５９）も備える。
2005536251.tif 000002
【特許請求の範囲】
【請求項１】
椅子部材、ベッド部材および長椅子部材からなる部材の群から選択される部材であって、前記部材が電力要件を有する手段を含み、前記部材が、前記椅子が曝されているエネルギーを、前記電力要件を満たすための電気エネルギーに変換するエネルギー変換器も備えることを特徴とする部材。
【請求項２】
前記エネルギー変換器が、前記部材の露出された表面上に備えられた太陽電池パネルを含む請求項１に記載の部材。
【請求項３】
電力要件を有する前記手段が、バイオリズムセンサを含む請求項２に記載の部材。
【請求項４】
前記太陽電池パネルによっても電力を供給されるデジタル表示装置を含む請求項３に記載の部材。
【請求項５】
電力要件を有する前記手段が、バイオリズムセンサを含む請求項１に記載の部材。
【請求項６】
電力要件を有する前記手段が、前記センサによって検出されたバイオリズムを表示するためのデジタル表示装置をさらに含む請求項５に記載の部材。
【請求項７】
前記エネルギー変換器が、前記椅子の運動を前記電気エネルギーに変換する発電機を含む請求項１に記載の部材。
【請求項８】
電力要件を有する前記手段が、前記椅子用の制御装置を含む請求項１に記載の部材。
【請求項９】
前記制御装置が、前記制御装置の使用のための指示を与える音声フィードバックを提供する請求項７に記載の部材。
【請求項１０】
前記制御装置が、前記部材の調節可能な部品のための電気的調節を提供する請求項７に記載の部材。
【請求項１１】
前記エネルギー変換器によって充電される電源箱を含み、前記電源箱が前記電気エネルギーを蓄積し必要に応じて前記電気エネルギーを分散させる請求項１に記載の部材。
【請求項１２】
前記エネルギー変換器によって電力が供給される電動式身体再位置決め手段を有する請求項１に記載の部材。
【請求項１３】
前記部材が椅子を含み、前記身体再位置決め手段が腰部調節部材を含む請求項１２に記載の部材。
【請求項１４】
前記腰部調節部材の一定時間間隔の再位置決めをもたらす電動式タイマを含む請求項１３に記載の部材。
【請求項１５】
前記部材が、前記エネルギー変換器によって電力が供給される電動式バイブレータを含む請求項１に記載の部材。
【請求項１６】
前記エネルギー変換器によって電力が供給され、かつ前記一定時間のバイブレータの動作をもたらす電動式タイマを含む請求項１５に記載の部材。
【請求項１７】
前記エネルギー変換器によって電力が供給される加熱手段を含む請求項１に記載の部材。
【発明の詳細な説明】
【技術分野】
【０００１】
本発明は、電力を必要とする機構を有し、電気的機構に電力を供給するためのエネルギー変換器も有する椅子またはベッドまたは長椅子に関する。
【背景技術】
【０００２】
新しく開発されたハイテクの椅子では、椅子の様々な部分に多くの調節がある。調節は手動式制御装置によって行われる。椅子の電動式制御機構に関してほとんど発展はない。その理由は、現在の椅子の設計ではその機構が椅子のプラグを交流コンセントに差し込むことにより、または充電目的のため椅子から取り外されねばならないタイプの充電式電池を使用することにより電力を供給する必要があるからである。
【発明の開示】
【発明が解決しようとする課題】
【０００３】
本発明は、電力を必要とする機構を有し、かつこれらの機構に電力を供給するためのそれ自体の搭載型電源も有する椅子、長椅子またはベッド部材に関する。搭載型電源は、部材が通常的に曝されるエネルギーを、部材の電気要件を満たすための電気エネルギーに変換するエネルギー変換器の形状である。
本発明の上の並びに他の利点および特徴は、本発明の好ましい実施形態により極めて詳細に説明されるであろう。
【課題を解決するための手段】
【０００４】
図面に関する詳細な説明に入る前に、以下の実施形態の各々が、椅子、ベッドまたは長椅子部材が曝されるエネルギーを、椅子、ベッドまたは長椅子部材の電力を必要とする機構を動作させるための電気エネルギーに変換するエネルギー変換手段を含むことに留意されたい。通常、このエネルギー変換手段は２つの型の１つをとる。これらの型の１つは、部材が曝されている周辺光からのエネルギーを捕捉し周辺光を椅子用のエネルギーに変換する太陽電池パネルを含む。周辺光からの電気エネルギーを変換し、必要に応じて使用するために蓄電ユニットに蓄積することができる。それを変換し、蓄積せずに椅子の即時の要件のために使用することもできる。
【０００５】
別の形式で、エネルギー変換手段は、様々な椅子の運動を、蓄積または即時の使用のための電気エネルギーに変換する発電機を含む。
次に、上の機能のすべてに関する具体的な実施例が、図面の図１から６に関して説明される。
【発明を実施するための最良の形態】
【０００６】
図１は、全体として１で表される椅子を示す。この椅子は、椅子の席３および椅子の背もたれ５を有する。それは、転がりキャスタ９を備えるペデスタル式ベース７によって支持される。椅子１は、全体として１１で表される複数の椅子運動制御装置を有する。これらの制御装置はセンサ１３を備える。制御装置の起動は、全体として１５で表される一連の音声チップを介して、制御装置の使用のための可聴式指示をもたらす。これらの音声チップは、椅子に座っている人が椅子の制御指示を聞くことができる、それ自体の小さなスピーカを含む。
【０００７】
制御装置１７に提供された別のセンサが、椅子の背もたれに埋め込まれたスピーカの音声チップ１９を動作させる。
スピーカに関連する音声チップ１５および１９の各々、並びに制御装置のセンサは、それらの動作に電力を必要とする。この電力は、椅子の座席３の下に位置する蓄電箱２５によって提供される。
【０００８】
蓄電箱２５は、搭載して備えられた、椅子の２つの別個のエネルギー変換手段によってその電力を受ける。これらのエネルギー変換手段の１つは、椅子の背もたれ５の裏表面に支持された太陽電池パネル２１を含む。太陽電池パネル２１は、椅子が曝されている周辺光からエネルギーを受ける。このエネルギーが、太陽電池パネルによって、必要に応じて使用される蓄電箱２５に蓄積される電気エネルギーに変換される。
【０００９】
第２の型のエネルギー変換手段は、椅子のペデスタル式ベース７上の転がりキャスタ９によって提供される。これらの転がりキャスタは、毎日の使用状態で椅子が支持されている床を横切って、椅子が動かされるとき、小さい発電機として働く。したがって、発電機は、椅子の運動からのエネルギーを、この場合も線２３を介して蓄電箱２５に蓄積される電気エネルギーに変換する。
【００１０】
蓄電箱２５は、制御装置が椅子の使用者によって操作されたときだけ、その中に蓄積されたエネルギーを様々な椅子の制御装置に出力する。
上の説明からわかるように、蓄電箱２５は、充電式電池と幾分同じように動作する。しかし、従来の充電式電池とは違って、蓄電箱を椅子から取り外す必要はなく、または椅子を蓄電箱を充電するために、交流コンセントに電気的に接続する必要もない。対照的に、椅子の周りの周辺光、および／または椅子の運動が、電源箱の再充電をもたらす。
【００１１】
図２は本発明の別の実施形態を示す。この実施形態では、全体として３１で表されるオフィス型の椅子は、座席３３および椅子の背もたれ３５を有する。椅子は、転がりキャスタ３９を備えるペデスタル式ベース３７によって支持される。
【００１２】
この詳細な実施形態によれば、制御装置４１は、電気的な椅子の高さおよび背もたれの高さ調節を備えている。調節用、および／または調節の電磁的固定用に必要な電力は、電源箱４５によって提供される。電源箱４５を充電し再充電するための搭載型エネルギー変換器は、椅子の背もたれの裏表面の太陽電池パネル４１、および４３で表されるように電源箱４５に接続される転がりキャスタ３９によって形成される発電機の形状である。
【００１３】
図３は本発明の別の実施形態を示す。具体的には、図３は椅子の上部領域を全体として５１で示す。この椅子は、全体として５３で示される椅子の背もたれを通る開いた網目の通風領域を有する。送風器５５が椅子の後に設けられている。電源箱５７が、送風器５５を動作させるために椅子の座席の下に設けられている。
【００１４】
図３からわかるように、送風器５５が、椅子の背もたれ内の通風領域５３を介して冷却空気の流れを椅子に座っている人に提供することができる。
電源箱５７は、６５で電源箱に接続されているエネルギー変換太陽電池パネル６３によって充電され、再充電される。
【００１５】
図面の図４は、電源箱５７に、椅子の座席と椅子の背もたれの間のピン継手５９によって変換されたエネルギーが追加で供給されることを示す。このピン継手は、発電機としての働きをし、椅子の座席と椅子の背もたれの間の揺動運動を、電源箱５７に蓄積される電気エネルギーに変換する。
【００１６】
同じようなタイプの発電を受けるのに特に適している椅子の別の領域は、ペデスタル式椅子ベースの上端である。この位置で、椅子ベースと、椅子の座席と椅子の背もたれによって形成される椅子の本体との間の相当な揺動運動がしばしばある。
【００１７】
図面の図５は、本発明のまた別の実施形態を示す。特に、図５は全体として７１で表される全体の椅子システムを示す。この椅子システムは、実際の椅子７３とコンピュータモニタ７４とを含む。
【００１８】
椅子７３は、電源箱７９によって電力を供給されるセンサ７５を備える。電源箱７９は、椅子の背もたれの裏面のエネルギーを変換する太陽電池パネル７７によって充電される。電源箱７９は、椅子を支持する電気を生成する転がりキャスタ８１によっても充電される。
【００１９】
センサ７５が、椅子の座席の内部で表面を張られた表面のすぐ下の椅子に座っている人の心拍数、血圧などのバイオリズムを集める位置に配置される。これらのバイオリズムは、人が椅子に座るとき、センサ７５のすぐ上に位置する人の腿の下面で特に容易に集められる。
【００２０】
しかし、センサを、バイオリズムを集めることができる肘掛、椅子の背もたれなど椅子の他の領域に容易に配置することもできる。それから、センサ７５によって検出されたバイオリズムはモニタ７４に表示される。椅子を、センサの出力をモニタに送るためにモニタに配線することもでき、またはセンサは、好ましくはモニタの受信器に空中伝送信号を送信することもできる。
【００２１】
図６は、図５で示された椅子７１とは幾分異なる椅子９１を示す。図６によれば、椅子９１は、椅子の肘掛に設けられた表示装置９５に直接接続されたバイオリズムセンサ９２を含む。この表示装置は、図６の位置に開いて表示９５を見ることが可能になる蝶番のついた表面を張られた肘掛カバー９３よって通常覆われている。表示装置を見ることが望まれない場合、肘掛の上部カバー９３は、それが表示装置を覆う位置に蝶番で下向きにされ、椅子を使用する人の腕のための快適な休息領域を提供する。
【００２２】
センサ９２および表示装置９５は、椅子の座席の下の電源箱９６によって電力が供給される。電源箱９６は、椅子の背もたれの太陽電池パネルおよび椅子を支持する電気を生成するキャスタによって充電される。
【００２３】
図５および６の椅子の実施形態の何れも、椅子を使用する人のバイオリズムのフィードバックの可聴式レポートを提供するために、椅子によって電力を供給される小さいスピーカを再度含むように容易に修正される。このスピーカは、制御装置に使用されるのと同じものでもよく、または特にバイオリズムのフィードバック用だけの別のスピーカでもよい。
【００２４】
図７は、全体として１０１で表される別の好ましい実施形態の椅子を示す。この椅子は、調節可能な腰部支持部１０３と複数の組合せバイブレータ加熱器１０９とを含む。
腰部支持部１０３は、太陽電池パネル１０５によって電力が供給される。太陽電池パネルによって変換されたエネルギーは、腰部支持部用の電気エネルギーを提供するために、タイマ１０７を介して供給される。
【００２５】
太陽電池パネル１０５は、電動式腰部支持部用のエネルギーを引き出すために使用されるエネルギー蓄電箱１１０にも電力を供給する。電源箱（エネルギー蓄電箱）１１０は、椅子の様々な揺動運動からもエネルギーを引き出す。
組合せ式加熱器バイブレータ１０９は、電気タイマ１１１を介して電源箱１１０に連結される。
【００２６】
椅子１０１は、多くの様々な機能を有する。例えば、人々が、不活発なまたは動かない姿勢を長い時間はとらないことが重要であると確認された。したがって、腰部支持部１０３は、タイマ１０７を介して椅子を使用する人に対し特定の時間間隔で自動身体位置調節を与える。腰部支持部を一定の時間間隔で延ばし、それから縮めて、椅子を使用する人に腰部支持部を伸長および収縮させ、したがって彼または彼女の背の位置を再調節させる。腰部支持部の伸長および収縮をもたらす電力は、太陽電池パネル１０５および／または蓄電箱１１０によって与えられる。
【００２７】
椅子の背もたれ中にさらに同様に備えることができるバイブレータ１０９は、椅子を使用する人の血液循環を改良するために、一定時間間隔の刺激を提供する。振動と別に、またはそれと共に動作させることができる熱の追加の影響がさらに血流を増加させる。
【００２８】
この場合も、振動する加熱器用の電力供給は、直接、要素１０９に、または電源箱１１０およびタイマ１１１を介して振動する加熱要素に供給されるべき電気エネルギーを変換する太陽電池パネル１０５によって提供される。
【００２９】
さらに好ましい特徴として、望むならば、時間の切れた機能のすべてに優先して、調節可能な腰部支持部および／または振動する加熱要素の即時の動作を提供する制御装置１１３を備えている。
【００３０】
上述の幾つかの実施形態、例えば椅子の通風および高さ調節機構は、バイオリズムモニタやデジタル表示装置などの椅子の他の実施形態と比べると比較的多くの電力を必要とする。より多くの電力を明らかに必要とする椅子の実施形態は、より大きい太陽電池パネルを含み、多分、上述の発電機のすべてを含むであろう。より小さい電力を必要とする実施形態の場合は、追加の発電機などのものを含む必要がなく、また実際の電源箱も必要ないかもしれない。例えば、椅子の後の太陽電池パネルによって提供される即時のエネルギー変換が、小さいセンサやセンサ用の表示装置などのものに電力を供給するのに十分でありそうに思われる。さらに、表示装置自体が、表示装置に電力を供給するためにそれ自体の太陽電池変換器を含むこともできる。
【００３１】
上の説明のすべては、椅子、特に事務所の椅子のそれらの機構に充電式電力を供給するための電動式機構および手段の提供に関する。同じ、または少なくとも類似した機構を、ベッドまたは長椅子に提供できることが理解されるであろう。ベッドの位置決め用にしばしば多くの制御装置を有する病院のベッドが特に関心がある。さらに、別の心拍数モニタなどが、病院のベッドに関連してしばしば使用される。本発明によれば、病院のベッドの制御装置は、ベッドによって支持され、かつ太陽電池パネルや、図面の図１から６の実施形態に関して説明された発電機などの搭載型エネルギー変換器によって充電される電源によって動作される。さらに、本発明したがって構築された病院のベッドは、この場合もまた、搭載型電源および病院のベッドのエネルギー変換器によって電力を供給されるそれ自体の搭載型心拍数モニタまたは同様のバイオリズム検査装置を含むことができる。
本発明の様々な好ましい実施形態を詳細に説明したが、当分野の技術者は、本発明の趣旨または添付の特許請求の範囲の範囲を逸脱することなく、変形形態をつくることができることを理解するであろう。
【図面の簡単な説明】
【００３２】
【図１】電力を必要とする制御装置と、本発明の好ましい実施形態によるそれらの制御装置を動作させるエネルギー変換手段とを備える椅子の透視図である。
【図２】電動機構と、本発明の別の好ましい実施形態による椅子動作機構用のエネルギー変換手段とを有する別の椅子の透視図である。
【図３】別の電動式機構と、本発明の別の好ましい実施形態によるその機構に電力を供給するエネルギー変換手段とを備える別の椅子の透視図である。
【図４】図３の椅子用に電力を供給するエネルギー変換器の１つの拡大された透視図である。
【図５】電力要件と、本発明のさらに別の好ましい実施形態によるそれらの要件を満たすエネルギー変換手段とを有する椅子の透視図である。
【図６】本発明のさらに別の好ましい実施形態による電動式椅子の透視図である。
【図７】本発明のさらに別の好ましい実施形態による電力要件を有する椅子の透視図である。
【図１】
2005536251.tif 000003
【図２】
2005536251.tif 000004
【図３】
2005536251.tif 000005
【図４】
2005536251.tif 000006
【図５】
2005536251.tif 000007
【図６】
2005536251.tif 000008
【図７】
2005536251.tif 000009
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
椅子部材、ベッド部材および長椅子部材からなる部材の群から選択される部材であって、前記部材が電力要件を有する手段を含み、電力要件を有する前記手段が、前記部材から情報を出力する情報出力装置であり、前記部材が、前記椅子が曝されるエネルギーを、前記情報出力装置に電力を供給するための電気エネルギーに変換するエネルギー変換器も備えることを特徴とする部材。
【請求項２】
前記エネルギー変換器が、前記部材の露出された表面上に備えられた太陽電池パネルを含む請求項１に記載の部材。
【請求項３】
前記情報出力装置がバイオリズムセンサを含む請求項１に記載の部材。
【請求項４】
前記エネルギー変換器よっても電力を供給されるデジタル表示装置を含み前記バイオリズムセンサからの情報を表示する請求項３に記載の部材。
【請求項５】
前記エネルギー変換器が、前記椅子の可動椅子部分の運動を電気エネルギーに変換する請求項１に記載の部材。
【請求項６】
前記情報出力装置が前記椅子の可動部分用の制御装置を含み、前記制御装置が、前記可動椅子部分の前記運動をもたらすことなく、前記制御装置の使用の指示に関する情報を出力する請求項１に記載の部材。
【請求項７】
前記制御装置が、前記制御装置の使用のための指示を与える音声フィードバックを提供する請求項６に記載の部材。
【請求項８】
前記エネルギー変換器によっても電力を供給される視覚的表示装置を含み、前記視覚的表示装置が、前記制御装置の使用のための前記指示を視覚的に表示する請求項６に記載の部材。
【請求項９】
前記エネルギー変換器によって充電される電源箱を含み、前記電源箱が前記電気エネルギーを蓄積し必要に応じて前記電気エネルギーを分散させる請求項１に記載の部材。
【請求項１０】
前記椅子が前記電気エネルギーを生成するための転がりキャスタを含む請求項９に記載の部材。
【請求項１１】
前記椅子が背もたれと、座席と、前記背もたれと座席の間に前記電気エネルギーを生成するための可動の蝶番とを有する請求項９に記載の部材。
【請求項１２】
前記エネルギー変換器および電源箱によって電力が供給される電動式身体再位置決め手段を有する請求項９に記載の部材。
【請求項１３】
前記部材が椅子を含み、前記身体再位置決め手段が腰部調節部材を含み、前記椅子が前記腰部調節部材の一定時間間隔の再位置決めをもたらす電動式タイマをさらに含む請求項１２に記載の部材。
【請求項１４】
前記部材が
（ａ）前記エネルギー変換器および電源箱によって電力を供給される電動式バイブレータと、
（ｂ）前記エネルギー変換器によって電力が供給され、かつ前記一定時間のバイブレータの動作をもたらす電動式タイマとを含む請求項９に記載の部材。
【請求項１５】
情報出力装置が心拍数モニタである請求項１に記載の部材。
【請求項１６】
椅子部材、ベッド部材および長椅子部材からなる部材の群から選択される部材であって、前記部材が電力要件を有する手段と、前記部材の運動を前記部材の電力要件を満たすための電気エネルギーに変換するための発電機とを備えることを特徴とする部材。
【請求項１７】
前記部材が可動のキャスタを含み、前記発電機が前記キャスタ内に配置される請求項１６に記載の部材。
【請求項１８】
前記部材が、背もたれと、座席と、前記背もたれと座席の間に前記電力要件を生成するための可動の蝶番とを有する椅子を含む請求項１６に記載の部材。
【請求項１９】
前記発電機に加えて、電力を生成するための太陽電池パネルをさらに含む請求項１７に記載の部材。
【請求項２０】
前記部材が、開いた網目の背もたれと、前記開いた網目の背もたれに隣接して配置された送風器を有し、前記送風器が前記発電機によって電力を供給される椅子を含む請求項１６に記載の部材。
【国際調査報告】
2005536251.tif 000010
2005536251.tif 000011
2005536251.tif 000012